(57)【要約】【課題】  ダイヤモンドのブリリアンティアリングにおいてクラウンとパビリオンとの境目のガードルに形成される研磨形状がペインティングやディギングアウトのないものか又はあってもその度合がどのようなものであるかを数値的に求めてダイヤモンドのグレードを判定するダイヤモンドのペインティング及び／又はディギングアウトの度合の数値的判定方法を提供する。【解決手段】  ガードルの度合を判定するためにアッパー・ガードル・ファセット（ＵＧＦ）とベゼル（ＢＺＬ）との間の角度やアッパー・ガードル・ファセット（ＵＧＦ）同士の角度やローワー・ガードル・ファセット（ＬＧＦ）とパビリオン・メイン・ファセット（ＰＭＦ）同士の角度を非接触型寸法測定機とこの寸法データを基にしたコンピュータによる計算により求めることができる。【選択図】  図５
2008023181.tif 000002
【特許請求の範囲】
【請求項１】
ダイヤモンドの最終研磨工程（ブリリアンティアリングと言う）において形成されるペインティング及び／又はディギングアウトを数値的に判定するための判定方法であって、該方法は、隣接するアッパー・ガードル・ファセット（ＵＧＦと言う）とベゼル（ＢＺＬと言う）との間の１６箇所の角度Ａと、隣接するＵＧＦ同士間の８箇所の角度Ｂと、隣接するローワー・ガードル・ファセット（ＬＧＦと言う）とパビリオン・メイン・ファセット（ＰＭＦと言う）との間の１６箇所の角度Ｃと、隣接するＬＧＦ同士間の８箇所の角度Ｄとを夫々求め、前記ペインティング及び／又はディギングアウトの度合を判定することを特徴とするダイヤモンドのペインティング及び／又はディギングアウトの度合の数値的判定方法。
【請求項２】
前記角度の計算は、夫々の角度を形成する面の法線ベクトルから求めることを特徴とする請求項１に記載のダイヤモンドのペインティング及び／又はディギングアウトの度合の数値的判定方法。
【発明の詳細な説明】
【技術分野】
【０００１】
本発明は、ダイヤモンドのブリリアンティアリングにおいて、クラウン及び／又はパビリオンを構成する各ファセット間の角度からペインティング及び／又はディギングアウトの有無やその度合を視覚に頼らず数値的に求めるダイヤモンドのペインティング及び／又はディギングアウトの度合の数値的判定方法に関する。
【背景技術】
【０００２】
図１（ａ）はブリリアンティアリングに入る前のダイヤモンド１００のクラウン部を示し、各ファセットの交差角度を比較的鋭い鈍角（実線）で示しているものであり、図１（ｂ）はＵＧＦとＢＺＬとの間の角度が鋭さの少ない大きな鈍角（破線）であってペインティングが生じているダイヤモンド１００を示す。但し、図１（ｂ）には破線が２本あるが勿論１本でもペインティングが生じていることを示す。
また、図１（ｃ）はＵＧＦ同士間の角度が鋭さの少ない大きな鈍角（破線）であってディギングアウトが生じているダイヤモンド１００を示す。
ペインティングやディギングアウトが生ずるとダイヤモンドの輝度が低下し、その品質の度合が低いものとなる。このペインティングやディギングアウトができるのはダイヤモンドを研磨する際になるべく原石の生地を残してダイヤモンドの重量減を極力低くしようとするカッタの研磨技術によるものであった。
【０００３】
図２（ａ），（ｂ），（ｃ）はブリリアンティアリングが終了したダイヤモンド１００の外観図及びガードル１の部分の形状を示すものである。図２（ａ）はガードル１にペインティングやディギングアウトの生じていないダイヤモンド１００を示し、このものはガードル１における図示の（Ａ）値と（Ｂ）値の値が等しいものである。一方、図２（ｂ）は（Ａ）値が（Ｂ）値よりも小さく、ペインティングが生じているダイヤモンド１００を示し、図２（ｃ）は（Ａ）値が（Ｂ）値よりも大きく、ディギングアウトが生じているダイヤモンドを示す。
【０００４】
図３（ａ），（ｂ），（ｃ），（ｄ）はクラウン側とパビリオン側の両方にブリリアンティアリングされたダイヤモンドの主にガードル１の部分を示すものである。図３（ａ）は前記した（Ａ）値と（Ｂ）値の等しいものを示し、図３（ｂ）から図３（ｄ）は（Ａ）値と（Ｂ）値との差が次第に大きくなるものを示し、ペインティングの度合が大きくなっていることが示されている。
なお、従来技術では以上のペインティングやディギングアウトを判定する方法がなく、公知技術として同一出願人による「特許文献１」があるが、このものは本発明とは相異するものである。
【特許文献１】特開２００３−４２９６４号（図１）
【発明の開示】
【発明が解決しようとする課題】
【０００５】
以上のように、ダイヤモンドのペインティングやディギングアウトの度合を判定する方法としては従来技術では確実なものはなく、主に熟練者による視覚により判定されていたに過ぎない。そのために、正しい判定が難しく、第三者に対して適格な品質度合を明示することができなかった。
【０００６】
本発明に、以上の事情に鑑みて発明されたものであり、例えば、非接触型の寸法測定機を用いてダイヤモンドの各部の寸法データをとり、このデータによりコンピュータで計算を行い、ペインティングやディギングアウトの度合を数値的に求めて正しい判定をするようにしたダイヤモンドのペインティング及び／又はディギングアウトの度合の数値的判定方法を提供することを目的とする。
【課題を解決するための手段】
【０００７】
本発明は、以上の目的を達成するために、請求項１の発明は、ダイヤモンドの最終研磨工程（ブリリアンティアリングと言う）において形成されるペインティング及び／又はディギングアウトを数値的に判定するための判定方法であって、該方法は、隣接するアッパー・ガードル・ファセット（ＵＧＦと言う）とベゼル（ＢＺＬと言う）との間の１６箇所の角度Ａと、隣接するＵＧＦ同士間の８箇所の角度Ｂと、隣接するローワー・ガードル・ファセット（ＬＧＦと言う）とパビリオン・メイン・ファセット（ＰＭＦと言う）との間の１６箇所の角度Ｃと、隣接するＬＧＦ同士間の８箇所の角度Ｄとを夫々求め、前記ペインティング及び／又はディギングアウトの度合を判定することを特徴とする。
【０００８】
また、請求項２の発明は、前記角度の計算は、夫々の角度を形成する面の法線ベクトルから求めることを特徴とする。
【発明の効果】
【０００９】
本発明の請求項１のダイヤモンドのペインティング及び／又はディギングアウトの度合の数値的判定方法によれば、ブリリアンティアリングされたダイヤモンドのＵＧＦ，ＢＺＬ，ＬＧＦ，ＰＭＦの各ファセットのデータを非接触型の寸法測定機を用いて求め、このデータを用いて各角度を計算し、その角度の値によってペインティングやディギングアウトの度合を数値的に判定することができ、正確で、第三者が納得できる判定を行うことができる。
【００１０】
また、本発明の請求項２のダイヤモンドのペインティング及び／又はディギングアウトの度合の数値的判定方法によれば、各ファセットの面の角度を法線ベクトルから求めるため、正確な角度が求められる。
【発明を実施するための最良の形態】
【００１１】
以下、本発明のダイヤモンドのペインティング及び／又はディギングアウトの度合の数値的判定方法の実施の形態を図面を参照して詳述する。図４はブリリアンティアリングを終了したダイヤモンド１００を示す。
図示のように、クラウン１００ａ側にはＵＧＦ２とＢＺＬ３が形成され、パビリオン１００ｂ側にはＬＧＦ４とＰＭＦ５が夫々形成される。
クラウン１００ａには互いに隣接するＵＧＦ２ａ及びＵＧＦ２ａからなるＵＧＦ２と、ＵＧＦ２とＵＧＦ２との間に介設されるＢＺＬ３が形成され、角度ＡはＵＧＦ２ａとＢＺＬ３との間に形成され、角度ＢはＵＧＦ２ａとＵＧＦ２ａとの間に形成される。よって角度Ａは１６箇所、角度Ｂは８箇所形成される。
一方、パビリオン１００ｂ側には互いに隣接するＬＧＦ４ａとＬＧＦ４ａとからなるＬＧＦ４と、ＬＧＦ４とＬＧＦ４との間に介設されるＰＭＦ５とが形成され、角度ＣはＬＧＦ４とＰＭＦとの間に形成され、角度ＤはＬＧＦ４ａとＬＧＦ４ａとの間に形成される。よって角度Ｃは１６箇所、角度Ｄは８箇所形成される。
【００１２】
以上の角度Ａ，Ｂ，Ｃ，Ｄは、例えば、非接触型の寸法測定機による寸法データとこれを基にしてコンピュータによる計算によって数値的に求められる。
【実施例１】
【００１３】
次に、角度Ａ，Ｂ，Ｃ，Ｄの値とペインティング及びディギングアウトとの関係の１つの実施例を説明する。
図５はクラウン１００ａ側におけるペインティングやディギングアウトの度合を説明するものであり、図６はパビリオン１００ｂ側におけるペインテイングやディギングアウトの度合を説明するためのものである。
【００１４】
図５，図６に示すものは単なる一例であって、数値等は種々に変化する可能性がある。また、楕円や四角で囲んだ範囲も変化の可能性がある。
図５は横軸にＵＧＦ２ａとＢＺＬ３との間の角度Ａを示すものであり、縦軸はＵＧＦ２ａとＵＧＦ２ａとの間の角度Ｂを示すものである。図５において、中央の楕円で囲んでいる範囲（Ｘ）はペインティングやディギングアウトのない状態を示し、四角で囲んでいる範囲（Ｙ）は度合の大きいディギングアウトの生じている範囲であり、四角で囲んでいる範囲（Ｚ）は度合の大きいペインティングが生じている範囲を示す。なお、範囲（Ｘ）と範囲（Ｙ）や範囲（Ｚ）との間の部分はその中間の度合を夫々示すものである。
【００１５】
図６はパビリオン１００ｂ側におけるペインティングやディギングアウトの度合を示すものであり、中央の（Ｘ1）の範囲がペインティングやディギングアウトのない範囲であり、範囲（Ｙ1）や範囲（Ｚ1）が度合の大きいディギングアウトやペインティングが生じている範囲を夫々示すものである。
【００１６】
以上のように、ブリリアンティアリングの終わった夫々のダイヤモンドについて図５や図６を求めることにより、そのダイヤモンドにおけるペインティングやディギングアウトの度合を数値的に求めることができ、従来の視覚による判定に較べて正確で、かつ客観的な信頼性のある判定をすることができる。
【産業上の利用可能性】
【００１７】
本発明は、以上に説明した形状のダイヤモンドについての判定方法を説明したが、ダイヤモンドの形状は前記のものに限定せず、すべてのダイヤモンドの判定に利用可能であり、その利用範囲は広い。
【図面の簡単な説明】
【００１８】
【図１】ブリリアンティアリング工程を施される前後のダイヤモンドの形状を示す上面図（（ａ）はブリリアンティアリングに入る前の状態を示すもの、（ｂ）はペインティングの生じているもの、（ｃ）はディギングアウトが生じているものを夫々示す）。
【図２】ガードルの形状を示すもので（ａ）は正常のもの、（ｂ）はペインティングの生じているもの、（ｃ）はディギングアウトが生じているものを示す。
【図３】クラウン及びパビリオンの双方に形成されているガードルを示すもので、図３（ａ）は最高、図３（ｂ）はとてもよい、図３（ｃ）は良い、図３（ｄ）は不可のものを示す。
【図４】角度を求める箇所を説明するためのダイヤモンドの正面図。
【図５】クラウン側の理想的なラウンドブリリアントカットの範囲やディギングアウトやペインティングの範囲を数値的に示す線図。
【図６】パビリオン側の理想的なラウンドブリリアントカットの範囲やディギングアウトやペインティングの範囲を数値的に示す線図。
【符号の説明】
【００１９】
１        ガードル
２        アッパー・ガードル・ファセット（ＵＧＦ）
２ａ      アッパー・ガードル・ファセット（ＵＧＦ）
３        ベゼル（ＢＺＬ）
４        ローワー・ガードル・ファセット（ＬＧＦ）
４ａ      ローワー・ガードル・ファセット（ＬＧＦ）
５        パビリオン・メイン・ファセット（ＰＭＦ）
１００    ダイヤモンド
１００ａ  クラウン
１００ｂ  パビリオン
【図１】
2008023181.tif 000003
【図２】
2008023181.tif 000004
【図３】
2008023181.tif 000005
【図４】
2008023181.tif 000006
【図５】
2008023181.tif 000007
【図６】
2008023181.tif 000008